(57)【要約】【課題】エレベータのリニューアルを短時間で容易に行うことができるリニューアル方法、および、機械室内構造物を提供することを課題とする。【解決手段】機械室２０に巻上機が設置されているエレベータをリニューアルするリニューアル方法であり、既設の巻上機および既設マシンベースを除去する工程と、既設マシンビーム８２以上の高さとなる新設マシンビーム１２を設置する工程と、新設マシンビーム１２の上に新設マシンベース１４を固定する工程と、新設マシンベース１４上に新設巻上機１６を固定する工程と、を備える。新設マシンビーム１２を設置する工程では、新設マシンビーム１２を支える架台を配置するためのシンダーコンクリート除去領域を形成し、シンダーコンクリート除去領域に架台を設置するとともに、シンダーコンクリート除去領域に当接するジャッキボルトを架台に備えさせ、架台上に新設マシンベース１２を固定する。【選択図】図１
2017019577.tif 000002
【特許請求の範囲】
【請求項１】
機械室に巻上機が設置されているエレベータをリニューアルするリニューアル方法であって、
前記巻上機および既設マシンベースを除去する工程と、
既設マシンビーム以上の高さとなる新設マシンビームを設置する工程と、
前記新設マシンビームの上に新設マシンベースを固定する工程と、
前記新設マシンベース上に新設巻上機を固定する工程と、
を備え、
前記新設マシンビームを設置する工程では、
前記新設マシンビームを支える架台を配置するためのシンダーコンクリート除去領域を形成し、
前記シンダーコンクリート除去領域に前記架台を設置するとともに、前記シンダーコンクリート除去領域に当接するジャッキボルトを前記架台に備えさせ、
前記架台上に前記新設マシンベースを固定することを特徴とするリニューアル方法。
【請求項２】
前記架台として、前記架台を構成する土台にアンカーボルト挿通用の孔を予め形成しておくとともに、前記孔の上方では前記架台の構成部分を非存在とすることでアンカーボルトを上方から前記孔へ打ち込み可能とした架台を用いることを特徴とする請求項１に記載のリニューアル方法。
【請求項３】
前記既設マシンベースを除去する工程後、前記新設マシンベースを固定する工程前に、前記既設マシンビーム間にプレート部材を掛け渡すことを特徴とする請求項１または２に記載のリニューアル方法。
【請求項４】
前記既設マシンビームと前記プレート部材とをレールクリップを用いて結合することを特徴とする請求項３に記載のリニューアル方法。
【請求項５】
前記既設マシンビームの側部側に形成されている凹部に配線ケーブルを通して蓋をすることを特徴とする請求項３または４に記載のリニューアル方法。
【請求項６】
請求項１に記載のリニューアル方法によって前記機械室内に形成された機械室内構造物であって、
前記新設マシンビームと、前記新設マシンビーム上に固定された前記新設マシンベースと、前記新設マシンベース上に固定された前記新設巻上機と、
を備えることを特徴とする機械室内構造物。
【発明の詳細な説明】
【技術分野】
【０００１】
本発明の実施形態は、機械室に巻上機が設置されたエレベータをリニューアルするリニューアル方法、および、機械室内構造物に関する。
【背景技術】
【０００２】
従来、エレベータのリニューアル工事では、巻上機を載せて固定するマシンベースを交換する場合、既設のマシンベース（以下、既設マシンベースという）および既設のマシンビーム（以下、既設マシンビームという）を撤去し、新たなマシンビーム（以下、新設マシンビームという）を設置し、この新設マシンビーム上に新たなマシンベース（以下、新設マシンベースという）を固定している。
【先行技術文献】
【特許文献】
【０００３】
【特許文献１】特開昭58-207277号公報
【発明の概要】
【発明が解決しようとする課題】
【０００４】
ところで、既設マシンビームの下部は躯体上のシンダーコンクリートで埋められている。このため、既設マシンビームを撤去する際には、既設マシンビームの周囲のシンダーコンクリート部分を砕いて除去する破砕・除去作業が必要であり、この破砕・除去作業に多大な作業時間を要していた。また、マシンビームは一般に重くて長いため、既設マシンビームの搬出作業が容易ではなく、搬出作業が重労働で時間がかかるという難点もあった。
【０００５】
本発明は上記課題に鑑みてなされたものであり、エレベータのリニューアルを短時間で容易に行うことができるリニューアル方法、および、機械室内構造物を提供することを課題とする。
【課題を解決するための手段】
【０００６】
本発明の実施形態に係るリニューアル方法は、機械室に巻上機が設置されているエレベータをリニューアルするリニューアル方法であり、巻上機および既設マシンベースを除去する工程と、既設マシンビーム以上の高さとなる新設マシンビームを設置する工程と、新設マシンビームの上に新設マシンベースを固定する工程と、新設マシンベース上に新設巻上機を固定する工程と、を備える。新設マシンビームを設置する工程では、新設マシンビームを支える架台を配置するためのシンダーコンクリート除去領域を形成し、シンダーコンクリート除去領域に架台を設置するとともに、シンダーコンクリート除去領域に当接するジャッキボルトを架台に備えさせ、架台上に前記新設マシンベースを固定する。
【図面の簡単な説明】
【０００７】
【図１】第１実施形態に係るリニューアル方法および機械室内構造物を説明する部分正面断面図。
【図２】第１実施形態でリニューアル手順を説明するフローチャート図。
【図３】（ａ）は、第２実施形態に係るリニューアル方法を説明する部分正面断面図、（ｂ）は、第２実施形態に係るリニューアル方法を説明する部分斜視断面図。
【図４】（ａ）は、第３実施形態に係るリニューアル方法を説明する部分側面拡大断面図、（ｂ）は、第３実施形態に係るリニューアル方法を説明する部分正面拡大断面図。
【図５】（ａ）は、第４実施形態に係るリニューアル方法で用いる架台の正面図、（ｂ）は、第４実施形態に係るリニューアル方法で用いる架台を説明する平面斜視図。
【図６】第５実施形態に係るリニューアル方法を説明する部分斜視断面図。
【図７】第６実施形態に係るリニューアル方法を説明する部分正面拡大断面図。
【図８】第７実施形態に係るリニューアル方法を説明する部分正面拡大断面図。
【図９】第８実施形態に係るリニューアル方法を説明する部分正面拡大断面図。
【発明を実施するための形態】
【０００８】
以下、添付図面を参照して、実施形態に係るリニューアル方法および機械室内構造物について説明する。なお、第２実施形態以下では、第１実施形態で説明した構成要素と同様の構成要素には同じ符号を付してその説明を適宜省略する。
【０００９】
［第１実施形態］
まず、第１実施形態について説明する。図１は、本実施形態に係るリニューアル方法および機械室内構造物を説明する部分正面断面図である。図２は本実施形態でリニューアル手順を説明するフローチャート図である。
【００１０】
本実施形態に係る機械室内構造物１０は、新設マシンビーム１２と、新設マシンビーム１２上に固定された新設マシンベース１４（新設のマシンベッド）と、新設マシンベース１４上に固定された新設巻上機１６と、を備える。
【００１１】
本実施形態でエレベータをリニューアルするには、以下の工程を行う。まず、機械室２０に設置されている既設の巻上機を除去し（ステップＳ１）、更に、既設マシンベースを除去する（ステップＳ２）。
【００１２】
次に、新設マシンビーム１２の配置位置となるシンダーコンクリート部分８４ｐを除去し（ステップＳ３）、この除去部位に露出した躯体８６に新設マシンビーム１２を固定する（ステップＳ４）ことで、既設マシンビーム８２以上の高さとなる新設マシンビーム１２を設置する。本実施形態では、この結果、既設マシンビーム８２が新設マシンベース１４の下側に位置しており、既設マシンビーム８２が新設マシンベース１４に干渉することが回避されている。
【００１３】
更に、新設マシンビーム１２の上に新設マシンベース１４を固定する（ステップＳ５）。そして、新設マシンベース１４上に新設巻上機１６を固定する（ステップＳ６）。この結果、上述の機械室内構造物１０が形成される。
【００１４】
本実施形態により、既設マシンビーム８２を残存させつつ、新設マシンビーム１２、新設マシンベース１４、新設巻上機１６を固定することができる。従って、既設マシンビームを除去する工程、および、除去した既設マシンビームを搬出する工程を行わなくてもよいので、リニューアルする際、作業者の労働を軽減するとともに工事時間を大きく短縮することができる。なお、リニューアル前とリニューアル後とでシステムが異なりマシンベースの配置も異なる場合であっても、このような顕著な効果が得られる。
【００１５】
また、本実施形態では、リニューアル後、新設マシンベース１４の下側に既設マシンビーム８２が存在している。従って、既設マシンビーム８２を残存させても悪影響（他の部品の取付けへの支障など）が生じることが回避されている。
【００１６】
なお、既設マシンビーム８２の上側に、上端で新設マシンベース１４の下面側に当接する支持部材（例えばジャッキボルトＢ）を配置してもよい。これにより、既設マシンビーム８２を有効利用して新設マシンベース１４を支えることができる。その際、支持部材（例えばジャッキボルトＢ）と既設マシンビーム８２との間に滑り止め部材Ｆを介在させてもよい。
【００１７】
［第２実施形態］
次に、第２実施形態を説明する。図３で、（ａ）は本実施形態に係るリニューアル方法を説明する部分正面断面図、（ｂ）は、本実施形態に係るリニューアル方法を説明する部分斜視断面図である。
【００１８】
本実施形態では、第１実施形態に比べ、新設マシンビーム１２を設置する際、まず、新設マシンビーム１２を支える架台３０を配置するためのシンダーコンクリート除去領域Ａを形成する。その際、シンダーコンクリート８４の一部の領域をハツることで形成する。
【００１９】
そして、シンダーコンクリート除去領域Ａに露出した躯体８６に架台３０を固定し、更に、架台３０上に新設マシンベース１４を固定する。
【００２０】
本実施形態により、第１実施形態で奏される効果に加え、シンダーコンクリート８４を除去する領域（シンダーコンクリート除去領域Ａ）を架台３０の設置領域のみとすることができ、第１実施形態のように長尺状の新設マシンビーム１２の設置領域全てであるシンダーコンクリート部分８４ｐを除去しなくても済む。従って、リニューアルにかかる作業時間を大幅に低減させることができるという効果も奏される。
【００２１】
［第３実施形態］
次に、第３実施形態を説明する。図４で、（ａ）は本実施形態に係るリニューアル方法を説明する部分側面拡大断面図、（ｂ）は本実施形態に係るリニューアル方法を説明する部分正面拡大断面図である。
【００２２】
本実施形態では、第２実施形態に比べ、シンダーコンクリート除去領域で露出した躯体８６に当接するジャッキボルト３４を架台３０に備えさせる。ジャッキボルト３４は架台３０の土台３１を貫通しており、ジャッキボルト３４にねじ係合するナット３６によって土台３１を支える高さ位置が調整可能となっている。
【００２３】
本実施形態により、第２実施形態で奏される効果に加え、シンダーコンクリート下側の躯体８６上面に凹凸が生じていても（例えば凸部８６ｋが生じていても）、土台３１からのジャッキボルト３４の突出長さを調整することで架台３０の上面を水平に維持することができるという効果も奏される。
【００２４】
［第４実施形態］
次に、第４実施形態を説明する。図５で、（ａ）は本実施形態に係るリニューアル方法で用いる架台の正面図、（ｂ）は本実施形態に係るリニューアル方法で用いる架台を説明する平面斜視図である。
【００２５】
本実施形態では、第２実施形態、第３実施形態に比べ、架台として、架台を構成する土台４１にアンカーボルト挿通用の孔４１ｈを予め形成しておくとともに、孔４１ｈの上方では架台の構成部分を非存在とすることでアンカーボルトを上方から孔４１ｈへ打ち込み可能とした架台４０を用いる。本実施形態では、土台４１の四隅部にこの孔４１ｈを形成している。そして、新設マシンベース１４が当接する上板部４２の寸法を土台４１よりも小さくすることで、孔４１ｈの上方では架台４０の構成部分を非存在としている。
【００２６】
本実施形態により、第２実施形態、第３実施形態で奏される効果に加え、アンカーボルトで架台４０を躯体８６に直接に固定する際に、アンカーボルトを躯体８６へ打ち込み易くすることができるという効果も奏される。
【００２７】
［第５実施形態］
次に、第５実施形態を説明する。図６は、本実施形態に係るリニューアル方法を説明する部分斜視断面図である。
【００２８】
本実施形態では、第１〜第４実施形態に比べ、既設マシンベースを除去した後、新設マシンベース１４を固定する前に、既設マシンビーム８２間、すなわち、既設マシンビーム８２ａ、８２ｂ間にプレート部材５０を掛け渡して作業台としての機能をプレート部材５０に持たせる。
【００２９】
本実施形態により、第１実施形態〜第４実施形態で奏される効果に加え、既設マシンビーム８２を有効活用してプレート部材５０の上面を作業スペースとして利用できるので、作業スペースが拡大し、作業者が作業途中で点検を行う際の足元の安全を更に確保できるという効果も奏される。
【００３０】
［第６実施形態］
次に、第６実施形態を説明する。図７は、本実施形態に係るリニューアル方法を説明する部分正面拡大断面図である。
【００３１】
本実施形態では、第５実施形態に比べ、既設マシンビーム８２ａ、８２ｂとプレート部材６０とをレールクリップ６２を用いて結合する。プレート部材６０としては、ボルト６４とレールクリップ６２とで既設マシンビーム８２ａ、８２ｂに結合可能な構成のものを用いる。
【００３２】
本実施形態により、第５実施形態で奏される効果に加え、機械室２０内で溶接作業や追加加工を行うことなく、既設マシンビーム８２ａ、８２ｂにプレート部材６０を容易に短時間で取り付けることができるという効果も奏される。
【００３３】
なお、図８に示すように、既設マシンビーム８２ａ、８２ｂとプレート部材６０とによって形成される空間Ｚに配線ケーブルＫを通してもよい。これにより、配線ダクトを新たに設けなくても済む。
【００３４】
［第７実施形態］
次に、第７実施形態を説明する。図９は、本実施形態に係るリニューアル方法を説明する部分正面拡大断面図である。
【００３５】
本実施形態では、第６実施形態に比べ、既設マシンビーム８２（例えば上述した既設マシンビーム８２ａ）の側部側に形成されている凹部Ｄに配線ケーブルＫを通し、蓋Ｃでカバーする。本実施形態では、プレート部材６０に代えて、下方に直角に折り曲げられた折曲げ部７１を両サイド側に付加したプレート部材７０を用いることで、この折曲げ部７１に蓋Ｃの役割を果たさせている。折曲げ部７１の折り曲げ位置は、ボルト６４およびレールクリップ６２よりもプレート部材側部側とする。
【００３６】
本実施形態により、第６実施形態で奏される効果に加え、配線ダクトを新たに設けなくても済み、しかも新たにボルトやナットで折曲げ部７１と既設マシンビーム８２（例えば既設マシンビーム８２ａ）とを連結しなくても済むので、作業時間を増大させることなく効率的にしかも低コストで配線ダクトとして利用することができるという効果も奏される。
【００３７】
以上、いくつかの実施形態を説明したが、これらの実施形態は、例として提示したものであり、発明の範囲はそれらに限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３８】
１０…機械室内構造物、１２…新設マシンビーム、１４…新設マシンベース、１６…新設巻上機、２０…機械室、３０…架台、３１…土台、３４…ジャッキボルト、３６…ナット、４０…架台、４１…土台、４１ｈ…孔、４２…上板部、５０…プレート部材、６０…プレート部材、６２…レールクリップ、６４…ボルト、７０…プレート部材、７１…折曲げ部、８２…既設マシンビーム、８２ａ…既設マシンビーム、８２ｂ…既設マシンビーム、８４…シンダーコンクリート、８４ｐ…シンダーコンクリート部分、８６…躯体、８６ｋ…凸部、Ａ…シンダーコンクリート除去領域、Ｂ…ジャッキボルト、Ｃ…蓋、Ｄ…凹部、Ｋ…配線ケーブル、Ｚ…空間
【図１】
2017019577.tif 000003
【図２】
2017019577.tif 000004
【図３】
2017019577.tif 000005
【図４】
2017019577.tif 000006
【図５】
2017019577.tif 000007
【図６】
2017019577.tif 000008
【図７】
2017019577.tif 000009
【図８】
2017019577.tif 000010
【図９】
2017019577.tif 000011
【手続補正書】
【提出日】平成28年8月26日(2016.8.26)
【手続補正１】
【補正対象書類名】特許請求の範囲
【補正対象項目名】全文
【補正方法】変更
【補正の内容】
【特許請求の範囲】
【請求項１】
機械室に巻上機が設置されているエレベータをリニューアルするリニューアル方法であって、
前記巻上機および既設マシンベースを除去する工程と、
既設マシンビーム以上の高さとなる新設マシンビームを設置する工程と、
前記新設マシンビームの上に新設マシンベースを固定する工程と、
前記新設マシンベース上に新設巻上機を固定する工程と、
を備え、
前記新設マシンビームを設置する工程では、
前記新設マシンビームを支える架台として、架台を構成する土台にアンカーボルト挿通用の孔を予め形成しておくとともに、前記孔の上方では架台の構成部分を非存在とすることでアンカーボルトを上方から前記孔へ打ち込み可能とした架台を配置するためのシンダーコンクリート除去領域を形成し、
前記シンダーコンクリート除去領域に前記架台を設置するとともに、前記シンダーコンクリート除去領域に当接するジャッキボルトを前記架台に備えさせ、
前記架台上に前記新設マシンベースを固定することを特徴とするリニューアル方法。
【請求項２】
機械室に巻上機が設置されているエレベータをリニューアルするリニューアル方法であって、
前記巻上機および既設マシンベースを除去する工程と、
既設マシンビーム以上の高さとなる新設マシンビームを設置する工程と、
前記新設マシンビームの上に新設マシンベースを固定する工程と、
前記新設マシンベース上に新設巻上機を固定する工程と、
を備え、
前記新設マシンビームを設置する工程では、
前記新設マシンビームを支える架台を配置するためのシンダーコンクリート除去領域を形成し、
前記シンダーコンクリート除去領域に前記架台を設置するとともに、前記シンダーコンクリート除去領域に当接するジャッキボルトを前記架台に備えさせ、
前記架台上に前記新設マシンベースを固定し、
かつ、前記既設マシンベースを除去する工程後、前記新設マシンベースを固定する工程前に、前記既設マシンビーム間にプレート部材を掛け渡すことを特徴とするリニューアル方法。
【請求項３】
前記既設マシンビームと前記プレート部材とをレールクリップを用いて結合することを特徴とする請求項２に記載のリニューアル方法。
【請求項４】
前記既設マシンビームの側部側に形成されている凹部に配線ケーブルを通して蓋をすることを特徴とする請求項２または３に記載のリニューアル方法。
【請求項５】
請求項１または２に記載のリニューアル方法によって前記機械室内に形成された機械室内構造物であって、
前記新設マシンビームと、前記新設マシンビーム上に固定された前記新設マシンベースと、前記新設マシンベース上に固定された前記新設巻上機と、
を備えることを特徴とする機械室内構造物。